Podtech/llm-jp-corpus-v4-ja_patent huggingface dataset:
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
画像形成装置と接続され、該画像形成装置により実行されるべき出力処理を規定した属性情報が設定されたホットフォルダを介して、該画像形成装置に、電子データを送信する情報処理装置であって、
前記画像形成装置において実行可能な処理内容が変更されたことを検知する検知手段と、
前記処理内容が変更されたことを検知した場合の、前記情報処理装置の動作に関する情報を、ホットフォルダに関連付けて保持する保持手段と、
変更された後の処理内容と前記ホットフォルダに設定された前記属性情報とを比較することにより、該属性情報に従った出力処理を、前記画像形成装置が実行可能であるか否かを判定する判定手段と、
前記判定手段において実行可能でないと判定された前記属性情報が設定されたホットフォルダに関連付けて保持された前記動作に関する情報に基づいて、前記情報処理装置の動作を制御する制御手段と
を備えることを特徴とする情報処理装置。
【請求項２】
前記制御手段は、
前記情報処理装置の動作に関する情報として、前記判定手段において実行可能でないと判定された前記属性情報を表示する処理が設定されていた場合、該判定手段による判定を契機として、該実行可能でないと判定された前記属性情報を表示するよう制御することを特徴とする請求項１に記載の情報処理装置。
【請求項３】
前記制御手段は、
前記情報処理装置の動作に関する情報として、前記判定手段において実行可能でないと判定された前記属性情報を、前記処理内容が変更された画像形成装置により実行可能な属性情報に変更する処理が設定されていた場合、該判定手段による判定を契機として、該実行可能な属性情報に変更するよう制御することを特徴とする請求項１に記載の情報処理装置。
【請求項４】
前記制御手段は、
前記情報処理装置の動作に関する情報として、前記判定手段において実行可能でないと判定された前記属性情報が設定されたホットフォルダを介して、前記電子データが送信されるのを停止する処理が設定されていた場合、該判定手段による判定を契機として、該ホットフォルダを介して前記電子データが送信されるのを停止するよう制御することを特徴とする請求項１に記載の情報処理装置。
【請求項５】
前記制御手段は、
前記情報処理装置の動作に関する情報として、前記判定手段において実行可能でないと判定された前記属性情報に従った出力処理を実行可能な他の画像形成装置を表示する処理が設定されていた場合、該判定手段による判定を契機として、該他の画像形成装置を表示するよう制御することを特徴とする請求項１に記載の情報処理装置。
【請求項６】
前記制御手段は、
前記情報処理装置の動作に関する情報として、前記判定手段において実行可能でないと判定された前記属性情報が設定されたホットフォルダによる電子データの送信先を、該属性情報に従った出力処理を実行可能な画像形成装置へと変更する処理が設定されていた場合、該判定手段による判定を契機として、該電子データの送信先を該実行可能な画像形成装置へと変更するよう制御することを特徴とする請求項１に記載の情報処理装置。
【請求項７】
前記ホットフォルダを設定するための設定手段を更に備え、
前記設定手段は、前記情報処理装置の動作に関する情報を設定することが可能であることを特徴とする請求項１乃至６のいずれか１項に記載の情報処理装置。
【請求項８】
前記判定手段は、前記検知手段により検知されたことを契機として、判定を行うことを特徴とする請求項１に記載の情報処理装置。
【請求項９】
前記画像形成装置に送信されるべき電子データが、前記ホットフォルダに投入されたことを契機として、前記検知手段による検知を行い、前記判定手段による判定を行うことを特徴とする請求項１に記載の情報処理装置。
【請求項１０】
前記制御手段は、
前記ホットフォルダを介して前記電子データが送信されるのを停止するよう制御した場合、更に、該ホットフォルダのアイコン表示を変更することを特徴とする請求項４に記載の情報処理装置。
【請求項１１】
画像形成装置と接続され、該画像形成装置により実行されるべき出力処理を規定した属性情報を設定したホットフォルダを介して、該画像形成装置に、電子データを送信する情報処理装置における情報処理方法であって、
検知手段が、前記画像形成装置において実行可能な処理内容が変更されたことを検知する検知工程と、
保持手段が、前記処理内容が変更されたことを検知した場合の、前記情報処理装置の動作に関する情報を、ホットフォルダに関連付けて保持する保持工程と、
判定手段が、変更された後の処理内容と前記ホットフォルダに設定された前記属性情報とを比較することにより、該属性情報に従った出力処理を、前記画像形成装置が実行可能であるか否かを判定する判定工程と、
制御手段が、前記判定工程において実行可能でないと判定された前記属性情報が設定されたホットフォルダに関連付けて保持された前記動作に関する情報に基づいて、前記情報処理装置の動作を制御する制御工程と
を備えることを特徴とする情報処理方法。
【請求項１２】
コンピュータを、請求項１乃至１０のいずれか１項に記載の情報処理装置の各手段として機能させるためのプログラム。
【手続補正２】
【補正対象書類名】明細書
【補正対象項目名】００１０
【補正方法】変更
【補正の内容】
【００１０】
上記の目的を達成するために本発明に係る情報処理装置は以下のような構成を備える。即ち、
画像形成装置と接続され、該画像形成装置により実行されるべき出力処理を規定した属性情報が設定されたホットフォルダを介して、該画像形成装置に、電子データを送信する情報処理装置であって、
前記画像形成装置において実行可能な処理内容が変更されたことを検知する検知手段と、
前記処理内容が変更されたことを検知した場合の、前記情報処理装置の動作に関する情報を、ホットフォルダに関連付けて保持する保持手段と、
変更された後の処理内容と前記ホットフォルダに設定された前記属性情報とを比較することにより、該属性情報に従った出力処理を、前記画像形成装置が実行可能であるか否かを判定する判定手段と、
前記判定手段において実行可能でないと判定された前記属性情報が設定されたホットフォルダに関連付けて保持された前記動作に関する情報に基づいて、前記情報処理装置の動作を制御する制御手段とを備える。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
会議資料として使用される電子データを格納する格納手段と、前記格納手段に格納された電子データを表示手段に表示させる表示制御手段とを有する会議システムにおいて、
会議の出席者を認識する認識手段と、
前記認識手段により認識された出席者を示す情報を、前記会議において前記表示手段に表示された電子データに対応付けて記憶する記憶手段と、
特定のユーザを示す情報を入力する入力手段と、
前記入力手段により入力された情報を検索条件として、前記特定のユーザが出席した会議において前記表示手段に表示された電子データを、前記記憶手段により記憶された情報に基づいて検索する検索手段と、
を備えることを特徴とする会議システム。
【請求項２】
前記認識手段は、携帯型記録媒体からユーザを示す情報を読み取る読取手段を含み、
前記記憶手段は、前記読取手段により読み取られた情報を、前記出席者を示す情報として記憶することを特徴とする請求項１に記載の会議システム。
【請求項３】
前記表示手段が備えられた会議室におけるユーザの入退室情報を管理する管理手段を更に備え、
前記認識手段は、前記管理手段により管理されている入退室情報に基づいて、前記表示手段に電子データが表示される時に前記会議室に入室しているユーザを、前記会議の出席者として認識することを特徴とする請求項１または２に記載の会議システム。
【請求項４】
会議の開催時間及び当該会議への出席者を予め登録しておくスケジュール登録手段を更に備え、
前記認識手段は、前記表示手段に電子データが表示される時間に開催される会議の出席者として前記スケジュール登録手段により登録されているユーザを、前記会議の出席者として認識することを特徴とする請求項１に記載の会議システム。
【請求項５】
前記格納手段に格納された複数の電子データのうち少なくとも１つを指定する指定手段と、
前記記憶手段により記憶された情報に基づいて、前記指定手段により指定された電子データが前記表示手段に表示された会議の出席者を提示する提示手段と、を更に備えることを特徴とする請求項１から４のいずれか１項に記載の会議システム。
【請求項６】
会議資料として使用される電子データを格納する格納手段と、前記格納手段に格納された電子データを表示手段に表示させる表示制御手段とを有する会議システムの制御方法であって、
会議の出席者を認識する認識工程と、
前記認識工程で認識された出席者を示す情報を、前記会議において前記表示手段に表示された電子データに対応付けて記憶媒体に記憶する記憶工程と、
特定のユーザを示す情報を入力する入力工程と、
前記入力工程で入力された情報を検索条件として、前記特定のユーザが出席した会議において前記表示手段に表示された電子データを、前記記憶媒体に記憶された情報に基づいて検索する検索工程と、
を備えることを特徴とする会議システムの制御方法。
【請求項７】
請求項６に記載の制御方法をコンピュータに実行させるためのプログラム。
【手続補正２】
【補正対象書類名】明細書
【補正対象項目名】発明の名称
【補正方法】変更
【補正の内容】
【発明の名称】会議システム、会議システムの制御方法及びプログラム
【手続補正３】
【補正対象書類名】明細書
【補正対象項目名】０００８
【補正方法】変更
【補正の内容】
【０００８】
本発明は、上記の問題点に鑑みなされたものであり、会議の出席者を示す情報を、当該会議において表示された電子データに対応付けて記憶する会議システム、会議システムの制御方法及びプログラムを提供することを目的とする。
【手続補正４】
【補正対象書類名】明細書
【補正対象項目名】０００９
【補正方法】変更
【補正の内容】
【０００９】
上記の目的を達成するために本発明の会議システムは、会会議資料として使用される電子データを格納する格納手段と、前記格納手段に格納された電子データを表示手段に表示させる表示制御手段とを有する会議システムにおいて、会議の出席者を認識する認識手段と、前記認識手段により認識された出席者を示す情報を、前記会議において前記表示手段に表示された電子データに対応付けて記憶する記憶手段と、特定のユーザを示す情報を入力する入力手段と、前記入力手段により入力された情報を検索条件として、前記特定のユーザが出席した会議において前記表示手段に表示された電子データを、前記記憶手段により記憶された情報に基づいて検索する検索手段と、を備えることを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
本発明によれば、会議の出席者を示す情報を、当該会議において表示された電子データに対応付けて記憶することができる。これにより、出席者は会議で閲覧した電子データを容易に特定することが可能となる。
【手続補正書】
【提出日】平成22年5月7日(2010.5.7)
【手続補正１】
【補正対象書類名】明細書
【補正対象項目名】００２８
【補正方法】変更
【補正の内容】
【００２８】
クロスダイクロイックプリズム２０は、図１に示すように、４つの直角プリズムを貼り合わせて形成され、その内面に赤色光を反射する誘電体多層膜（赤色光反射部）２０ａと青色光を反射する誘電体多層膜（青色光反射部）２０ｂとが十字状に配置されている。また、クロスダイクロイックプリズム２０の３辺には、赤色光源部１０Ｒ，緑色光源部１０Ｇ，青色光源部１０Ｂが配置されている。具体的には、クロスダイクロイックプリズム２０の上端面２０ｄ側に青色光源部１０Ｂが配置されており、左端面２０ｅ側に緑色光源部１０Ｇが配置されており、下端面２０ｆ側に赤色光源部１０Ｒが配置されている。また、誘電体多層膜２０ａは、赤色光を反射し緑色光を透過するように５７０ｎｍ程度にカットオフを持つローパスフィルタを使用し、誘電体多層膜２０ｂは青色光を反射し緑色光を透過するように５００ｎｍ程度にカットオフを持つハイパスフィルタを使用する。
これにより、赤色光は、誘電体多層膜２０ａにより光路が９０度曲げられ、青色光は、誘電体多層膜２０ｂにより光路が９０度曲げられクロスダイクロイックプリズム２０の射出端面２０ｃから射出される。また、緑色光は、クロスダイクロイックプリズム２０の誘電体多層膜２０ａ，２０ｂのどちらの膜にも反射されず透過し、射出端面２０ｃから射出される。すなわち、クロスダイクロイックプリズム２０は、赤色，緑色，青色光源部１０Ｒ，１０Ｇ，１０Ｂから射出された赤色光，緑色光，青色光の光路を同一方向となるように光路を変換する。このように、簡単な誘電体多層膜２０ａ，２０ｂの設計で効率良く３つの光源部１０Ｒ，１０Ｇ，１０Ｂから射出された赤色光、緑色光、青色光の光路を変換し同一方向にすることができる。
【手続補正２】
【補正対象書類名】明細書
【補正対象項目名】００３２
【補正方法】変更
【補正の内容】
【００３２】
図５に示すように、光源部１０Ｒ，１０Ｇ、１０Ｂとマイクロレンズアレイ３０との光学的距離（光路長）Ｌ１は９０ｍｍである。また、マイクロレンズアレイ３０と液晶ライトバルブ４０との光学的距離（光路長）Ｌ２は３ｍｍである。
さらに、本変形例では、マイクロレンズアレイ３０のマイクロフレネルレンズ３０ａのピッチをＰＬとしたとき、ＰＬ＝ｎ{Ｐ１・Ｐ２／（Ｐ１＋Ｐ２）}（ただし、ｎは自然数）…式１及びＬ２／Ｌ１＝Ｐ２／Ｐ１…式２の条件を満たすように構成されている。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
光源から発した光束を、光分離作用を有する光学面を介して画像形成素子に導く照明光学系であって、
前記照明光学系は、互いに直交する第１の断面及び第２の断面においてそれぞれ光束幅を、入射前とは異なる光束幅に変換する変換系を有し、
前記変換系による光束幅の変換率が、前記第１の断面と前記第２の断面とで互いに異なることを特徴とする照明光学系。
【請求項２】
前記第１の断面は、前記光学面の法線と前記画像形成素子の入射出面の法線とに平行な断面であり、前記第２の断面は、前記第１の断面に直交する断面であり、かつ以下の条件を満足することを特徴とする請求項１に記載の照明光学系。
α／β＜１
但し、αは前記変換系の前記第１の断面での前記変換率、βは前記第２の断面での前記変換率である。
【請求項３】
前記変換系は、前記第１の断面及び第２の断面においてそれぞれ光束幅を圧縮する圧縮系であることを特徴とする請求項１又は２に記載の照明光学系。
【請求項４】
前記圧縮系は、光源側から順に、前記第１及び第２の断面において同一の正の光学パワーを有する第１の光学素子と、前記第１及び第２の断面のうち一方において第１の負の光学パワーを有する第２の光学素子と、前記第１及び第２の断面のうち他方において前記第１の負の光学パワーとは異なる第２の負の光学パワーを有する第３の光学素子とを含むことを特徴とする請求項１乃至３いずれか１項に記載の照明光学系。
【請求項５】
無偏光光を直線偏光光に変換する偏光変換素子を有し、
前記変換系が、前記光源と前記偏光変換素子との間に配置されていることを特徴とする請求項１乃至４いずれか１項に記載の照明光学系。
【請求項６】
前記第１の光学素子は、前記光源から発する光束を反射する楕円リフレクタであることを特徴とする請求項４又は５に記載の照明光学系。
【請求項７】
前記第２及び第３の光学素子はそれぞれ、複数のレンズセルを有するレンズアレイであり、該複数のレンズセルのうち少なくとも一部のレンズセルが偏心することで前記光学パワーを有することを特徴とする請求項４乃至６いずれか１項に記載の照明光学系。
【請求項８】
請求項１から７のいずれか１つに記載の照明光学系と、
前記画像形成素子からの光束を被投射面に投射する投射光学系とを有することを特徴とする画像投射用光学系。
【請求項９】
請求項８に記載の画像投射用光学系を有することを特徴とする画像投射装置。
【請求項１０】
請求項９に記載の画像投射装置と、
該画像投射装置に画像情報を供給する画像供給装置とを有することを特徴とする画像表示システム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
導電性軸体と、該導電性軸体の外周面上に形成された弾性層とを有する現像ローラであって、前記弾性層が、芳香環を有するポリウレタン樹脂と、下記化学式（１）で示される、重量平均分子量が２０００以上２００００以下であるアラルキル変性シリコーン化合物とを含有する樹脂組成物から構成されていることを特徴とする現像ローラ。
（ＣＨ3）3ＳｉＯ・（Ａ）p・（Ｂ）q・（Ｃ）r・Ｓｉ（ＣＨ3）3      （１）
（式（１）において、Ａ、Ｂ及びＣは各々繰り返し単位を表し、該繰り返し単位Ａ、Ｂ及びＣの並び順は任意であり、Ａは、下記化学式（２）で表される繰り返し単位を示し、Ｂは、下記化学式（３）で表される繰り返し単位を示し、Ｃは、下記化学式（４）で表される繰り返し単位を示し、ｐ及びｒは、各々独立に１以上の整数を示し、ｑは、０または1以上の整数を示す。）：
【化１】
2008299246.tif 000001
【化２】
2008299246.tif 000002
（式（３）において、Ｒ１は炭素数が２以上１８以下のアルキル基を示す。）、
【化３】
2008299246.tif 000003
（式（４）において、Ｒ２は炭素数が２または３のアルキレン基を示し、Ｒ３、Ｒ４、Ｒ５、Ｒ６及びＲ７は各々独立に炭素数が１以上４以下のアルキル基または水素原子を示す。）。
【請求項２】
前記弾性層における前記アラルキル変性シリコーン化合物の含有量が、前記弾性層の質量に対し０．１質量％以上１０質量％以下である請求項１に記載の現像ローラ。
【請求項３】
前記化学式（４）におけるＲ３、Ｒ４、Ｒ５、Ｒ６及びＲ７が全て水素原子である請求項１または２に記載の現像ローラ。
【請求項４】
前記化学式（４）におけるＲ２がプロピレン基である請求項３に記載の現像ローラ。
【請求項５】
静電潜像を担持する像担持体と、該像担持体に対向した状態で現像剤を担持する現像ローラと、該現像ローラに担持された現像剤を摩擦帯電しながら該現像剤の層厚を規制する現像ブレードとを備えている電子写真プロセスカートリッジにおいて、該現像ローラが請求項１乃至４のいずれか一項に記載の現像ローラであることを特徴とする電子写真プロセスカートリッジ。
【請求項６】
静電潜像を担持するための像担持体と、該像担持体を一次帯電するための帯電装置と、一次帯電された像担持体に静電潜像を形成するための露光装置と、該静電潜像を現像剤により現像して現像剤像を形成するための現像ローラと、該現像剤像を転写材に転写するための転写装置とを有する電子写真用画像形成装置であって、該現像ローラが請求項１乃至４のいずれか一項に記載の現像ローラであることを特徴とする電子写真用画像形成装置。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
撮影光学系を介した光の一部を分岐させる分岐光学系と、
前記分岐光学系により分岐された光が入射されるＡＦモジュールと、
前記ＡＦモジュールに入射される前記分岐された光の入射方向である第１軸方向に対して直交する第２軸方向における前記ＡＦモジュールの位置を調整する位置調整手段と、
を備えることを特徴とするカメラ。
【請求項２】
前記位置調整手段は、前記ＡＦモジュールを前記第２軸周りに回転して位置調整可能な回転調整手段を備え、前記第２軸周りの前記ＡＦモジュールの位置を維持した状態で前記第２軸方向における前記ＡＦモジュールの位置を調整することを特徴とする請求項１に記載のカメラ。
【請求項３】
前記位置調整手段は、前記ＡＦモジュールを保持し、前記第２軸方向に摺動可能にカメラフレームに支持された第１基板を有することを特徴とする請求項１または２に記載のカメラ。
【請求項４】
前記位置調整手段は、
前記第１基板を支持し、前記第１軸方向及び前記第２軸方向にそれぞれ直交する第３軸方向に摺動可能にカメラフレームに支持された第２基板をさらに有することを特徴とする請求項３に記載のカメラ。
【請求項５】
前記位置調整手段は、
前記第１基板及び前記カメラフレームの一方に設けられた、前記第２軸方向に延在する長穴と、
前記第１基板及び前記カメラフレームの他方に設けられた、前記長穴に遊嵌された突起とを有することを特徴とする請求項３または４に記載のカメラ。
【請求項６】
前記位置調整手段は、
前記第１基板を前記第２軸方向に沿う一方向に付勢する弾性部材と、
前記第１基板及び前記カメラフレームの一方に前記第２軸方向に沿って形成されたネジ穴に螺合されたネジ部材とを有し、
前記ネジ部材を前記ネジ穴にねじ込んで該ネジ部材の一部を、前記弾性部材の付勢力に抗して、前記第１基板及び前記カメラフレームの他方に圧接させて、前記第１基板の前記第２軸方向の位置を調整可能であることを特徴とする請求項５に記載のカメラ。
【請求項７】
前記分岐光学系内のミラー部材の角度を調整するミラー角度調整手段を更に備え、
前記ミラー角度調整手段で前記ミラー部材の角度を変更することにより、前記ＡＦモジュールに入射される光と前記ＡＦモジュールとの前記第１軸方向及び前記第２軸方向にそれぞれ直交する第３軸方向における相対位置を調整可能であることを特徴とする請求項１〜６の何れか一項に記載のカメラ。
【請求項８】
前記位置調整手段は、
前記第１基板及び前記第２基板の一方に設けられた、前記第２軸方向に延在する第１長穴と、
前記第１基板及び前記第２基板の他方に設けられた、前記第１長穴に遊嵌される第１突起と、
前記第２基板及び前記カメラフレームの一方に設けられた、前記第３軸方向に延在する第２長穴と、
前記第２基板及び前記カメラフレームの他方に設けられた、前記第２長穴に遊嵌される第２突起とを有することを特徴とする請求項４に記載のカメラ。
【請求項９】
前記位置調整手段は、
前記第１基板を前記第２軸方向に沿う一方向に付勢する第１弾性部材と、
前記第１基板及び前記第２基板の一方に前記第２軸方向に沿って形成された第１ネジ穴に螺合された第１ネジ部材と、
前記第２基板を前記第３軸方向に沿う一方向に付勢する第２弾性部材と、
前記第１基板及び前記カメラフレームの一方に前記第３軸方向に沿って形成された第２ネジ穴に螺合された第２ネジ部材とを有し、
前記第１ネジ部材を前記第１ネジ穴にねじ込んで該第１ネジ部材の一部を、前記第１弾性部材の付勢力に抗して、前記第１基板及び前記第２基板の他方に圧接させることにより、前記第１基板の前記第２軸方向の位置を調整可能であり、
前記第２ネジ部材を前記第２ネジ穴にねじ込んで該第２ネジ部材の一部を、前記第２弾性部材の付勢力に抗して、前記第１基板及び前記カメラフレームの他方に圧接させることにより、前記第２基板の前記第３軸方向の位置を調整可能であることを特徴とする請求項８に記載のカメラ。
【手続補正２】
【補正対象書類名】明細書
【補正対象項目名】０００７
【補正方法】変更
【補正の内容】
【０００７】
本発明によると、撮影光学系を介した光の一部を分岐させる分岐光学系と、前記分岐光学系により分岐された光が入射されるＡＦモジュール（ＡＦＭ，１０２）と、前記ＡＦモジュール（１０２）に入射される前記分岐された光の入射方向である第１軸方向（Ｚ軸方向）に対して直交する第２軸方向（Ｘ方向又はＹ方向）における前記ＡＦモジュールの位置を調整する位置調整手段（１２３，１１６ａ，１１６ｂ，１１９，１３４ａ，１３４ｂ）と、を備えるカメラが提供される。
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
ユーザを識別するユーザ情報と、当該ユーザに対して設定されたレベルを示すレベル情報と、をセットにして、ユーザ毎に保持する第１の保持手段と、
仮想物体の位置姿勢の変化パターンを示す変化パターン情報と、当該変化パターン情報が提供されるユーザのレベルを示すレベル情報と、をセットにして、変化パターンの種類毎に保持する第２の保持手段と、
ユーザによってユーザ情報が入力されると、前記第１の保持手段において当該ユーザ情報とセットになっているレベル情報を特定し、特定した当該レベル情報が示すレベルと同じレベルを示すレベル情報と前記第２の保持手段においてセットになっている変化パターン情報を特定する特定手段と、
前記特定手段が特定した変化パターン情報に基づく変化パターンで前記仮想物体の位置姿勢を変化させた該仮想物体の画像を表示する表示手段と
を備えることを特徴とする情報処理装置。
【請求項２】
更に、前記変化パターン情報のレベルを示すレベル情報を編集する手段を備えることを特徴とする請求項１に記載の情報処理装置。
【請求項３】
更に、前記ユーザ情報に対応するレベルを示すレベル情報を編集する手段を備えることを特徴とする請求項１に記載の情報処理装置。
【請求項４】
前記変化パターン情報は、各キーフレームにおける前記仮想物体の位置姿勢を示すデータであり、
前記表示手段は、前記キーフレームの間の各フレームにおける前記仮想物体の位置姿勢を補間で求めることで、全てのフレームにおける前記仮想物体の位置姿勢を得、各フレームの仮想物体の画像として、対応するフレームにおける位置姿勢に配した前記仮想物体の画像を表示することを特徴とする請求項１に記載の情報処理装置。
【請求項５】
更に、前記補間に用いるアルゴリズムを、前記入力されたユーザ情報とセットになっているレベル情報に応じて変更する手段を備えることを特徴とする請求項４に記載の情報処理装置。
【請求項６】
ユーザを識別するユーザ情報と、当該ユーザに対して設定されたレベルを示すレベル情報と、をセットにして、ユーザ毎に保持する第１の保持手段と、
仮想物体の位置姿勢の変化パターンを示す変化パターン情報を保持する第２の保持手段と、
ユーザによってユーザ情報が入力されると、前記第１の保持手段において当該ユーザ情報とセットになっているレベル情報を特定する特定手段と、
前記特定手段が特定したレベル情報に応じて前記変化パターン情報を制御することで、前記変化パターン情報が示す変化パターンを変更する制御手段と、
前記制御手段が制御した前記変化パターン情報に基づく変化パターンで前記仮想物体の位置姿勢を変化させた該仮想物体の画像を表示する表示手段と
を備えることを特徴とする情報処理装置。
【請求項７】
前記変化パターン情報は、各キーフレームにおける前記仮想物体の位置姿勢を示すデータであり、
前記制御手段は、各キーフレームのうち、前記特定手段が特定したレベル情報に応じたキーフレームを選択し、
前記表示手段は、前記制御手段が選択したキーフレーム間の各フレームにおける前記仮想物体の位置姿勢を補間で求め、求めた各フレームにおける前記仮想物体の位置姿勢と前記制御手段が選択したキーフレームにおける前記仮想物体の位置姿勢とを新たな変化パターン情報として用いることで、前記仮想物体の画像を表示することを特徴とする請求項６に記載の情報処理装置。
【請求項８】
ユーザを識別するユーザ情報と、当該ユーザに対して設定されたレベルを示すレベル情報と、をセットにして、ユーザ毎に保持する第１の保持手段と、
仮想物体の位置姿勢の変化パターンを示す変化パターン情報と、当該変化パターン情報が提供されるユーザのレベルを示すレベル情報と、をセットにして、変化パターンの種類毎に保持する第２の保持手段と、
を備える情報処理装置が行う情報処理方法であって、
前記情報処理装置の特定手段が、ユーザによってユーザ情報が入力されると、前記第１の保持手段において当該ユーザ情報とセットになっているレベル情報を特定し、特定した当該レベル情報が示すレベルと同じレベルを示すレベル情報と前記第２の保持手段においてセットになっている変化パターン情報を特定する特定工程と、
前記情報処理装置の表示手段が、前記特定工程で特定した変化パターン情報に基づく変化パターンで前記仮想物体の位置姿勢を変化させた該仮想物体の画像を表示する表示工程と
を備えることを特徴とする情報処理方法。
【請求項９】
ユーザを識別するユーザ情報と、当該ユーザに対して設定されたレベルを示すレベル情報と、をセットにして、ユーザ毎に保持する第１の保持手段と、
仮想物体の位置姿勢の変化パターンを示す変化パターン情報を保持する第２の保持手段と、
を備える情報処理装置が行う情報処理方法であって、
前記情報処理装置の特定手段が、ユーザによってユーザ情報が入力されると、前記第１の保持手段において当該ユーザ情報とセットになっているレベル情報を特定する特定工程と、
前記情報処理装置の制御手段が、前記特定工程で特定したレベル情報に応じて前記変化パターン情報を制御することで、前記変化パターン情報が示す変化パターンを変更する制御工程と、
前記情報処理装置の表示手段が、前記制御工程で制御した前記変化パターン情報に基づく変化パターンで前記仮想物体の位置姿勢を変化させた該仮想物体の画像を表示する表示工程と
を備えることを特徴とする情報処理方法。
【請求項１０】
コンピュータに請求項８又は９に記載の情報処理方法が備える各工程を実行させるためのコンピュータプログラム。
【手続補正２】
【補正対象書類名】明細書
【補正対象項目名】発明の名称
【補正方法】変更
【補正の内容】
【発明の名称】情報処理装置、情報処理方法、及びプログラム
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
場面ごとに、当該場面を説明する文と動画とが組合された、動画付きコンテンツの作成を支援するためのコンテンツ作成支援システムであって、
場面ごとに、当該場面を説明する文の動作主体を示す第１の単語列と、当該動作主体の動作の内容を示す第２の単語列とを対話的入出力インターフェースによってユーザに入力させるための、表示装置及び入力装置を有する対話的入力手段と、
予め動作主体及び動作の内容をキーワードとして検索するための検索用情報を付した動画を記憶するための動画記憶手段と、
前記対話的入力手段により入力された前記第１の単語列及び前記第２の単語列をキーワードとして前記動画記憶手段を検索し、合致する検索用情報を有する動画を前記表示装置に表示するための検索手段と、
前記対話的入力手段により入力された前記第１の単語列と前記第２の単語列から、所定の規則にしたがって文を生成するための文生成手段と、
前記文生成手段により生成された文と、前記検索手段により検索された動画とを場面ごとに組合せて出力するための出力手段とを含む、コンテンツ作成支援システム。
【請求項２】
前記動作主体となるオブジェクトの形状を、複数の特徴点の３次元座標により表したモデルを、モデル検索用の単語列とともに記憶するためのモデル記憶手段と、
前記複数の特徴点の３次元座標の時系列を特定することにより、モデルの動きを定める動き情報を、動き検索用単語列とともに記憶するための動き情報記憶手段と、
前記モデル記憶手段に記憶された各モデルに対し、前記動き情報記憶手段に記憶された動き情報の各々を適用することによって動画を作成し、当該動画の作成に使用されたモデル及び動き情報の属性を表す単語列とともに前記動画記憶手段に記憶させるための動画作成手段とをさらに含む、請求項１に記載のコンテンツ作成支援システム。
【請求項３】
場面ごとに、当該場面を説明する文と動画とが組合された、動画付きコンテンツの作成を支援するためのコンテンツ作成支援システムであって、
場面ごとに、当該場面を説明する文の動作主体を示す第１の単語列と、当該動作主体の動作の内容を示す第２の単語列とを対話的入出力インターフェースによってユーザに入力させるための、表示装置及び入力装置を有する対話的入力手段と、
動作主体となるオブジェクトの形状を、複数の特徴点の３次元座標により表したモデルを、モデル検索用単語列とともに記憶するためのモデル記憶手段と、
前記複数の特徴点の３次元座標の時系列を特定することにより、モデルの動きを定める動き情報を、動き検索用単語列とともに記憶するための動き情報記憶手段と、
前記対話的入力手段により入力された前記第１の単語列及び前記第２の単語列をそれぞれキーワードとして、前記モデル記憶手段及び前記動き情報記憶手段を検索し、合致するモデル検索用単語列及び動き検索用単語列を有するモデル及び動き情報を検索し、当該モデルに当該動き情報を適用することにより動画を合成し前記表示装置に表示するための動画合成手段と、
前記対話的入力手段により入力された前記第１の単語列と前記第２の単語列から、所定の規則にしたがって文を生成するための文生成手段と、
前記文生成手段により生成された文と、前記動画合成手段により合成された動画とを場面ごとに組合せて出力するための出力手段とを含む、コンテンツ作成支援システム。
【請求項４】
前記対話的入力手段は、
場面ごとに、
当該場面における動作主体の入力を促すメッセージとともに、テキスト入力のためのテキストボックスを前記表示装置に表示し、ユーザによる前記第１の単語列の入力を受けるための第１の入力手段と、
前記第１の入力手段による前記第１の単語列の入力が終わったことに応答して、当該場面における動作の内容の入力を促すメッセージとともに、テキスト入力のためのテキストボックスを前記表示装置に表示し、ユーザによる前記第２の単語列の入力を受けるための第２の入力手段とを含む、請求項１〜請求項３のいずれかに記載のコンテンツ作成支援システム。
【請求項５】
前記対話的入力手段は、
場面ごとに、当該場面を説明するための文の構成要素を入力するために準備された、複数個のボタンを前記表示装置に表示するための手段と、
前記複数個のボタンのいずれかが操作されたことに応答して、当該ボタンに割り当てられた、前記文の構成要素の入力のための入力プロンプト及び入力領域を前記表示装置に表示し、当該入力領域に入力された文字列を、当該ボタンに割当てられた構成要素として記憶するための構成要素入力手段とを含む、請求項１〜請求項３のいずれかに記載のコンテンツ作成支援システム。
【請求項６】
表示装置及び入力装置が接続されたコンピュータにより実行されると、当該コンピュータを、
場面ごとに、当該場面を説明する文の動作主体を示す第１の単語列と、当該動作主体の動作の内容を示す第２の単語列とを、前記表示装置及び前記入力装置を用いた対話的入出力インターフェースによってユーザに入力させるための対話的入力手段と、
予め動作主体及び動作の内容をキーワードとして検索するための検索用情報を付した動画を記憶するための動画記憶手段と、
前記対話的入力手段により入力された前記第１の単語列及び前記第２の単語列をキーワードとして前記動画記憶手段を検索し、合致する検索用情報を有する動画を前記表示装置に表示するための検索手段と、
前記対話的入力手段により入力された前記第１の単語列と前記第２の単語列から、所定の規則にしたがって文を生成するための文生成手段と、
前記文生成手段により生成された文と、前記検索手段により検索された動画とを場面ごとに組合せて出力するための出力手段として機能させる、コンピュータプログラム。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
光学式認識コードの１シンボルであるコードシンボルを含む画像をキャプチャし、得られた原画像から該コードシンボルが表すデータをデコードする光学式認識コード認識装置において、
該コードシンボルを指し示す「対応パターン特定表示」を作成する対応パターン特定表示作成手段と、
前記作成した対応パターン特定表示を、上記原画像に重畳して表示する表示手段と、
を含むことを特徴とする光学式認識コード認識装置。
【請求項２】
請求項１に記載の光学式認識コード認識装置において、
前記原画像中の、複数の色領域の連なった領域であるが、その領域に対するデコードができなかった領域に対して、この領域を指し示す不適合パターン特定表示を作成する不適合パターン表示作成手段と、
前記不適合パターン表示を、原画像に重畳して表示する表示手段と、
を含むことを特徴とする光学式認識コード認識装置。
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
機体に投入された硬貨を１枚ずつ搬送して識別部により識別し、正常に識別された硬貨を選別部で選別して一時保留するとともに、収納指示に基づいて一時保留硬貨を収納する硬貨入金機において、
前記選別部に設けられ、複数の特定金種以外の硬貨を選別する複数の金種別選別手段と、
前記金種別選別手段より搬送方向の上流位置に設けられ、前記複数の特定金種のみを任意に選別する任意選別手段と、
前記複数の金種別選別手段に対応して設けられ、前記複数の特定金種以外の硬貨を金種別に収納する複数の金種別収納部と、
前記任意選別手投に対応して設けられ、前記複数の特定金種の硬貨を混合収納する混合収納部と、
前記金種別選別手段および前記任意選別手段にそれぞれ対応して設けられ、選別された硬貨を一時保留するとともに、前記複数の金種別収納部および前記混合収納部へ収納させる複数の一時保留部と
を具備していることを特徴とする硬貨入金機。
【請求項２】
前記混合収納部は、前記複数の金種別収納部に比べて小形に設けられている
ことを特徴とする請求項１記載の硬貨入金機。
【請求項３】
前記複数の特定金種には、１円硬貨および５円硬貨が含まれる
ことを特徴とする請求項１または２記載の硬貨入金機。
【請求項４】
前記複数の特定金種には、旧硬貨および記念硬貨の少なくとも一方が含まれる
ことを特徴とする請求項１ないし３いずれか記載の硬貨入金機。
【請求項５】
前記機体の下部両側に架台部が設けられ、これら架台部間に前記複数の金種別収納部が配置され、一側の架台部に混合収納部が配置されている
ことを特徴とする請求項１ないし４いずれか記載の硬貨入金機。
【手続補正２】
【補正対象書類名】明細書
【補正対象項目名】００１０
【補正方法】変更
【補正の内容】
【００１０】
請求項１記載の硬貨入金機は、機体に投入された硬貨を１枚ずつ搬送して識別部により識別し、正常に識別された硬貨を選別部で選別して一時保留するとともに、収納指示に基づいて一時保留硬貨を収納する硬貨入金機において、前記選別部に設けられ、複数の特定金種以外の硬貨を選別する複数の金種別選別手段と、前記金種別選別手段より搬送方向の上流位置に設けられ、前記複数の特定金種のみを任意に選別する任意選別手段と、前記複数の金種別選別手段に対応して設けられ、前記複数の特定金種以外の硬貨を金種別に収納する複数の金種別収納部と、前記任意選別手投に対応して設けられ、前記複数の特定金種の硬貨を混合収納する混合収納部と、前記金種別選別手段および前記任意選別手段にそれぞれ対応して設けられ、選別された硬貨を一時保留するとともに、前記複数の金種別収納部および前記混合収納部へ収納させる複数の一時保留部とを具備しているものである。
【手続補正３】
【補正対象書類名】明細書
【補正対象項目名】００１５
【補正方法】変更
【補正の内容】
【００１５】
請求項１記載の硬貨入金機によれば、複数の特定金種は、任意選別手段で選別し、一時保留部で混合保留するとともに、混合収納部で混合収納するため、複数の特定金種の一時保留場所および収納場所を１つにまとめることができ、機体内でのスペース効率が向上して小形化あるいは大容量化でき、また、複数の特定金種以外の硬貨は、複数の金種別選別手段で選別するため、構成を簡素化でき、コストを低減できる。
【手続補正４】
【補正対象書類名】明細書
【補正対象項目名】００３９
【補正方法】変更
【補正の内容】
【００３９】
硬貨選別通路53には、搬送方向の上流側から下流側に向けて順に、この硬貨選別通路53に搬送してくる硬貨を検知するタイミングセンサ65、識別部63での識別結果およびタイミングセンサ65の検知に基づいてリジェクト硬貨を電気的駆動によって強制的に選別するリジェクト選別手段66、識別部63での識別結果およびタイミングセンサ65の検知に基づいて特定金種としての１円および５円硬貨を電気的駆動によって強制的に選別する任意選別手段67、特定金種以外の硬貨である５０円、１００円、１０円および５００円硬貨を硬貨径に応じて選別する金種別選別手段としての金種別選別孔68がそれぞれ形成されている。
【手続補正５】
【補正対象書類名】明細書
【補正対象項目名】００９６
【補正方法】変更
【補正の内容】
【００９６】
11    機体
12    架台部
36    混合収納部
37    金種別収納部
53    選別部としての硬貨選別通路
63    識別部
67    任意選別手段
68    金種別選別手段としての金種別選別孔
81    一時保留部
【手続補正書】
【提出日】平成22年1月13日(2010.1.13)
【手続補正１】
【補正対象書類名】特許請求の範囲
【補正対象項目名】請求項９
【補正方法】変更
【補正の内容】
【請求項９】
請求項１記載の半導体集積回路において、
前記インタフェース変換マクロは、
前記コントローラから出力されるシステムインタフェース仕様に従ったコマンド信号を、メモリインタフェース仕様に従ったコマンド信号に変換し、変換したコマンド信号を前記メモリマクロに出力するコマンド変換回路を備えていることを特徴とする半導体集積回路。
【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
画像処理装置であって、
対象画像に含まれる領域を変形する変形処理を行う第１の処理部と、
前記変形処理と関連付けられた処理であって、前記対象画像に含まれる画素の画素値を調整する画素値処理を行う第２の処理部と、
を備える、画像処理装置。
【請求項２】
請求項１に記載の画像処理装置において、
互いに関連づけられている前記変形処理と前記画素値処理は、それぞれが前記対象画像にもたらす変化のうち、少なくとも一部が同一または類似しており、
前記対象画像は、顔画像を含み、
前記変形処理および前記画素値処理が前記対象画像にもたらす変化は、前記顔画像の印象の変化を含み、
前記変形処理は、前記顔画像の印象に所定の変化をもたらすように、前記顔画像を変形する処理であり、
前記画素値処理は、前記顔画像の印象に前記所定の変化と同一または類似の変化をもたらすように前記画素値を調整する処理である、画像処理装置。
【請求項３】
請求項１又は請求項２に記載の画像処理装置は、さらに、
前記対象画像について、画像の特徴に応じて定まる画像タイプを判定するタイプ判定部と、
前記変形処理と前記画素値処理とを含む処理内容を、前記判定された画像タイプに応じて決定する処理内容決定部と、
を備え、
前記第１の処理部と前記第２の処理部は、前記決定された処理内容の画質調整処理を前記対象画像に対して行う、画像処理装置。
【請求項４】
請求項３に記載の画像処理装置において、
前記処理内容決定部は、前記変形処理と前記画素値処理とをそれぞれ含む複数種類の候補処理内容の中から前記対象画像に対して行う処理内容を選択させるための選択画面を、前記判定された画像タイプに応じて生成する選択画面生成部を含む、画像処理装置。
【請求項５】
請求項４に記載の画像処理装置において、
前記選択画面生成部は、前記判定された画像タイプに応じて前記複数種類の候補処理内容の優先順位を定め、前記優先順位に従って、前記選択画面を生成する、画像処理装置。
【請求項６】
画像処理方法であって、
対象画像に含まれる領域を変形する変形処理を行い、
前記変形処理と関連付けられた処理であって、対象画像に含まれる画素の画素値を調整する画素値処理を行う、画像処理方法。
【請求項７】
画像処理のためのコンピュータプログラムであって、
対象画像に含まれる領域を変形する変形処理を行う第１の機能と、
前記変形処理と関連付けられた処理であって、対象画像に含まれる画素の画素値を調整する画素値処理を行う第２の機能と、
をコンピュータに実現させる、コンピュータプログラム。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
情報プロバイダ装置で、複数の情報フレームのシーケンスを備える情報ストリームを安全化する方法であって、前記情報プロバイダ装置は、セグメンテーションモジュール（１１０）と、圧縮モジュール（１１５）と、再配列モジュール（１３０）と、暗号化モジュール（１３５）とを備えるものであり、
前記セグメンテーションモジュールが、前記情報ストリームを、第１のセグメントシーケンスを有する複数の情報ストリームセグメントにセグメント化するステップ（３０６）であって、前記複数の情報ストリームセグメントの各々は複数の情報フレームを備える、当該ステップと、
前記圧縮モジュールが、前記複数の情報ストリームセグメントを形成するために、前記複数の情報フレームを、予測に基づく圧縮手段を用いて圧縮するステップ（３０８）と、
前記再配列モジュールが、前記複数の情報ストリームセグメントを再配列して、第２のセグメントシーケンスを有する再配列された情報ストリームを生成するステップ（３１０）であって、インデックスによって前記第１のセグメントシーケンスが前記第２のセグメントシーケンスに関連づけられ、前記インデックスは、前記第２のセグメントシーケンスを用いて前記第１のセグメントシーケンスを生成するための十分な情報を含むものである、当該ステップと、
前記暗号化モジュールが、前記再配列された情報ストリームと前記インデックスを暗号化するステップ（３１２、３１４）と
を含む方法。
【請求項２】
前記情報プロバイダ装置は、分配モジュールを更に備え、
当該方法は、前記分配モジュールが、前記暗号化され再配列された情報ストリームと前記インデックスを１人以上の情報消費者に分配するステップ（３１６）をさらに含む、請求項１記載の方法。
【請求項３】
前記分配ステップは、
第１の媒体（１４５Ａ）を介して前記暗号化され再配列された情報ストリームを分配するステップと、
第２の媒体（１４５Ｂ）を介して前記暗号化されたインデックスを分配するステップと
を含む、請求項２記載の方法。
【請求項４】
前記暗号化され再配列された複数の情報ストリームセグメントは、時間的に不連続な方法で前記１人以上の情報消費者に分配される、請求項２記載の方法。
【請求項５】
前記第２の分配経路は複数の分配経路を備え、前記複数の分配経路の各々は、前記暗号化され再配列された複数の情報ストリームセグメントのそれぞれを分配する、請求項４記載の方法。
【請求項６】
前記複数の情報セグメントの各々内の第１の圧縮情報フレームは、非予測情報フレームを備える、請求項１記載の方法。
【請求項７】
前記情報ストリームは、複数の画像フレームとそれに関連する複数の音声フレームを備え、
前記複数の情報ストリームセグメントの各々は、第１の複数の画像フレームのそれぞれと、第２の複数の音声フレームのそれぞれを含み、前記第１の複数の画像フレームと前記第２の複数の音声フレームは実質的に同じ時区間での表現を意図するものである、請求項１記載の方法。
【請求項８】
前記情報ストリームは複数の画像フレームとそれに関連する複数の音声フレームを備え、前記セグメント化ステップは、
前記情報ストリームを前記第１のセグメントシーケンスを有する複数の画像情報ストリームセグメントにセグメント化するステップであって、前記複数の画像情報ストリームセグメントの各々は複数の画像フレームを備える、当該ステップと、
前記情報ストリームを第３のセグメントシーケンスを有する複数の音声情報ストリームセグメントにセグメント化するステップであって、前記複数の音声情報ストリームセグメントの各々は複数の画像フレームを備える、当該ステップと
を含む、請求項１記載の方法。
【請求項９】
前記複数の情報フレームを圧縮するステップは、デコーダバッファの利用レベルを示す制御情報を生成し、
前記暗号化するステップは、前記デコーダバッファの利用のしるしを暗号化するステップを含む、請求項１記載の方法。
【請求項１０】
加入者装置で、請求項１記載の方法に基づいて構成された情報ストリームから複数の情報フレームを回復する方法であって、前記加入者装置は、第１の解読モジュールと、第２の解読モジュールと、ランダムアクセスモジュールと、解凍モジュールとを備えるものであり、
前記第１の解読モジュールが、前記第２のセグメントシーケンスを前記第１のセグメントシーケンスに関連づける前記インデックスを回復するステップ（４０４）と、
前記第２の解読モジュールが、前記暗号化された複数の情報ストリームセグメントを解読して、前記第２のセグメントシーケンスに対応する複数の解読情報ストリームセグメントを生成するステップ（４０６）と、
前記ランダムアクセスモジュールが、前記回復されたインデックスを用いて、前記解読された複数の情報ストリームセグメントを再配列して、前記第１のセグメントシーケンスを生成するステップ（４０８）と、
前記解凍モジュールが、前記圧縮プロセスに関連する解凍プロセスを用いて、前記解読された複数の情報ストリームセグメントに含まれる前記圧縮された複数の情報フレームを解凍するステップ（４１０）と
を含む、回復方法。
【請求項１１】
前記再配列ステップは、
前記解読された複数の情報ストリームセグメントの少なくとも一部を含むランダムアクセス記憶部から、前記第１のセグメントシーケンスに基づいて、前記解読された複数の情報ストリームセグメントにアクセスするステップを備える、請求項１０記載の方法。
【請求項１２】
コンピュータに請求項１ないし１１のいずれか一項に記載の方法を実行させるためのコンピュータプログラム。
【請求項１３】
請求項１２に記載のコンピュータプログラムが組み込まれたコンピュータ読み取り可能な記録媒体。
【請求項１４】
情報処理システムにおける装置であって、
情報ストリームを複数の情報ストリームセグメントにセグメント化するセグメンテーションモジュール（１１０）であって、前記複数の情報ストリームセグメントは、第１のセグメントシーケンスに基づいて配列され、前記複数の情報ストリームセグメントの各々は、複数の情報フレームを含む、セグメンテーションモジュールと、
前記複数の情報ストリームセグメントを形成するために、前記複数の情報フレームを、予測に基づく圧縮手段を用いて圧縮する圧縮モジュール（１１５）と、
第２のセグメントシーケンスに基づいて、前記圧縮された複数の情報フレームを含む前記複数の情報ストリームセグメントを再配列する再配列モジュール（１３０）であって、インデックスによって前記第１のセグメントシーケンスが前記第２のセグメントシーケンスに関連づけられ、前記インデックスは、前記第２のセグメントシーケンスを用いて前記第１のセグメントシーケンスを生成するための十分な情報を含むものである、当該再配列モジュールと、
前記再配列された複数の情報ストリームセグメントと前記インデックスを暗号化する暗号化モジュール（１３５）と
を備える装置。